(57)【要約】【課題】防水パッキンの上部領域の配設部から侵入した雨水を受け止めるための構造を簡易且つ確実に得る給湯器を提供する。【解決手段】本給湯器１は、外装ケース１０を構成するケース本体２と前カバー３との周縁接合部を内フランジ２０，３０とし、内フランジ２０，３０間に防水パッキン１７を介装する。前カバー３の内フランジ３０の上縁を構成するシール板７を、防水パッキン１７の上部領域よりも下方へ延設すると共にケース本体２側に６０度に鋭角に折り曲げて水受け部７０を形成する。これにより、ケース本体２に前カバー３を組み付けることで、別部品を追加することなく防水パッキン１７の上部領域の配設部から侵入した雨水Ｒの受け止め構造を簡易且つ確実に、しかも低コストに得る。また、水受け部７０を形成する曲げによりシール板７が強度アップし、この部位でのシール性能が向上する。【選択図】図３
2007309613.tif 000002
【特許請求の範囲】
【請求項１】
ケース本体と、
前記ケース本体の前面開口部を閉塞する前カバーと、
前記ケース本体の前面開口部の内周縁に形成する内フランジと前記前カバーの後端の内周縁に形成する内フランジとの間に介装する防水パッキンと、
前記防水パッキンの上部領域の下方に位置するように、前記前カバーの内フランジ又は前記ケース本体の内フランジから延設する水受け部とを備えることを特徴とする給湯器。
【請求項２】
請求項１に記載の給湯器において、
前記水受け部は、前記前カバーの内フランジの上縁を構成するシール板を、前記防水パッキンの上部領域よりも下方へ延設すると共に前記ケース本体側に折り曲げて構成している給湯器。
【請求項３】
請求項１に記載の給湯器において、
前記水受け部は、前記ケース本体の内フランジの上縁部を、前記防水パッキンの上部領域よりも下方へ延設すると共に前記前カバー側に折り曲げて構成している給湯器。
【請求項４】
請求項１ないし３のいずれかに記載の給湯器において、
前記水受け部は、上方開放のとい状に形成し、且つ長手方向に傾けて構成している給湯器。
【発明の詳細な説明】
【技術分野】
【０００１】
本発明は、防水パッキンを介装させるケース本体と前カバーとの周縁接合部を内フランジとする給湯器に関するものである。
【背景技術】
【０００２】
図６に示すように、給湯器においては、デザイン性の向上及び他機種との差別化を図るため、外装ケース１０を構成するケース本体２と前カバー３との周縁接合部を内フランジ２０，３０とし、外装ケース１０の張り出しを無くすようにした内フランジタイプがある。そして、給湯器は、一般に屋外に設置されることが多く、外装ケース１０内への雨水の侵入を防止するため、ケース本体２と前カバー３の各々の内フランジ２０，３０間に防水パッキン１７を介装させている。ところが、時にはケース本体２に対する前カバー３の取り付けが緩む等して防水パッキン１７のシール性能が不十分となったり、また、内フランジタイプの給湯器では、防水パッキン１７の外周部が露出していることから、防水パッキン１７が日光や風雨等に晒されて劣化しシール性能が損なわれ易い。このように防水パッキン１７のシール性能が低下すると、内フランジタイプの給湯器は、天板２３側の防水パッキン１７の配設部より雨水が外装ケース１０内に入り込み易いため、このような雨水が内部の燃焼機器１Ａや電装装置１６等に散水されると給湯器が正常に作動しなくなるおそれがある。
【０００３】
そこで、本出願人は、ケース本体２の前面開口部の上部に着脱自在な庇部材４を装着することを提案した（特許文献１の請求項３、請求項４）。この庇部材４は、く字状に屈曲させてケース本体２の前面開口部上縁に沿った領域の防水パッキン１７の下方へ前傾状態にせり出すように配置し、これによって、防水パッキン１７の上部領域の配設部から雨水Ｒが侵入した場合でも、この雨水Ｒは、前記庇部材４の上部に滴下して受け止められ、前カバー３の下端の排水孔３７から外部に排出されることとなる。
【特許文献１】特願２００５−３４６３７９号
【発明の開示】
【発明が解決しようとする課題】
【０００４】
しかしながら、前記庇部材４は、ケース本体２や前カバー３とは独立した別部品となっているため、着け忘れられることがあった。また、この庇部材４は、ケース本体２の内フランジ２０と排気筒１５の基端部の外周フランジ１５２との間に差し込んだ状態で、排気筒１５を包囲する環状パッキング材１８上に載置させているので、必ずしも安定的に装着されず、位置ズレを起すこともあった。このような場合、防水パッキン１７の上部領域の配設部から侵入した雨水Ｒは、受け止められずに燃焼機器１Ａや電装装置１６等に散水されて給湯器の作動に支障を来たすこととなり得る。また、前記庇部材４は、ケース本体２への組み付けが面倒であったり、別部品であるがゆえにコスト高にもなる。
【０００５】
本発明は、上記事情に鑑みてなされたものであり、防水パッキンの上部領域の配設部から侵入した雨水を受け止めるための構造を、簡易且つ確実に得ることができる給湯器を提供することを課題とする。
【課題を解決するための手段】
【０００６】
（１）本発明に係る給湯器は、ケース本体と、前記ケース本体の前面開口部を閉塞する前カバーと、前記ケース本体の前面開口部の内周縁に形成する内フランジと前記前カバーの後端の内周縁に形成する内フランジとの間に介装する防水パッキンと、前記防水パッキンの上部領域の下方に位置するように、前記前カバーの内フランジ又は前記ケース本体の内フランジから延設する水受け部とを備えることを特徴とするものである（請求項１）。
これにより、防水パッキンの上部領域の配設部から雨水が侵入した場合でも、この雨水は、前記水受け部によって受け止められるので、給湯器の作動に支障を来たすことがない。
そして、この水受け部は、前記前カバーの内フランジ又は前記ケース本体の内フランジから延設するので、ケース本体に前カバーを組み付けることで前記雨水の受け止め構造を実現できる。従って、前記雨水受け止め構造の実現のために、従来の庇部材のような別部品を要しないので、前記雨水受け止め構造の着け忘れや位置ズレ等が起きることもなく、また、その組み付けも簡易に行える。しかも、従来の庇部材のような別部品を要しないから、コスト低減にもなる。
【０００７】
（２）前記水受け部は、前記前カバーの内フランジの上縁を構成するシール板を、前記パッキンの上部領域よりも下方へ延設すると共に前記ケース本体側に折り曲げて構成してもよい（請求項２）。
この場合、前記シール板は、前記前カバーの内フランジの上縁を構成し、前記防水パッキンを介装させるために不可欠な構成部品であり、このシール板を流用して前記水受け部を構成することにより、前記雨水受け止め構造の実現のために、従来の庇部材のような別部品を追加する必要がない。従って、前記雨水受け止め構造の着け忘れや位置ズレ等が起きることもなく、また、その組み付けも簡易に行え、しかも、コストの低減にもなる。
また、前記水受け部を構成するために前記シール板を折り曲げて形成するが、この曲げによりシール板（すなわち、前カバーの内フランジの上縁を構成する部位）の強度アップともなる。これにより、前記シール板によって防水パッキンの上部領域全体を略均等に押圧し、この部位でのシール性能を向上させることができる。その結果、雨水の散水を最も受け易い防水パッキンの上部領域でのシール性能が確実に発揮され、雨水に対する防水性を一層向上することができる。
【０００８】
（３）前記水受け部は、前記ケース本体の内フランジの上縁部を、前記パッキンの上部領域よりも下方へ延設すると共に前記前カバー側に折り曲げて構成してもよい（請求項３）。
この場合、前記ケース本体の内フランジの上縁部は、前記防水パッキンを介装させるために不可欠な構成部位であり、この部位を流用して前記水受け部を構成することにより、前記雨水受け止め構造の実現のために、従来の庇部材のような別部品を追加する必要がない。従って、前記雨水受け止め構造の着け忘れや位置ズレ等が起きることもなく、また、その組み付けも簡易に行え、しかも、コストの低減にもなる。
また、前記水受け部を構成するためにケース本体の内フランジの上縁部を折り曲げて形成するが、この曲げにより前記ケース本体の内フランジの上縁部の強度アップともなる。これにより、前記ケース本体の内フランジの上縁部によって防水パッキンの上部領域全体を略均等に押圧し、この部位でのシール性能を向上させることができる。その結果、雨水の散水を最も受け易い防水パッキンの上部領域でのシール性能が確実に発揮され、雨水に対する防水性を一層向上することができる。
【０００９】
（４）前記水受け部は、上方開放のとい状に形成し、且つ長手方向に傾けて構成してもよい（請求項４）。
これにより、前記水受け部に溜まった雨水は、給湯器の作動に支障を来たさない左右いずれかの側部の空間から下方へ流下させることができる。
【発明の効果】
【００１０】
以上のように、本発明によれば、防水パッキンの上部領域の下方に位置するように前カバーの内フランジ又はケース本体の内フランジから延設する水受け部を設けることにより、ケース本体に前カバーを組み付けることで、別部品を追加することなく防水パッキンの上部領域の配設部から侵入した雨水の受け止め構造を簡易且つ確実に、しかも低コストに得ることができる。
【発明を実施するための最良の形態】
【００１１】
以下に、本発明の実施形態について添付図面を参照しながら説明する。
（実施の形態１）
図１から図３に示すように、本実施の形態１における給湯器１は、燃焼機器１Ａ及び電装装置１６を矩形箱状の外装ケース１０内に収納するものである。外装ケース１０は、燃焼機器１Ａ及び電装装置１６を設置するケース本体２と、ケース本体２の前面開口部２１を塞ぐ前カバー３とを備えている。燃焼機器１Ａは、給気ファン１２と、ガスバーナを内臓した燃焼ユニット１１と、熱交換ユニット１３と、排気集合部１４及び排気筒１５とが、この順序で上方に接続された構成である。
【００１２】
ケース本体２は、板金を前面開放の矩形箱状に形成したものであり、前面開口部２１の内周縁には、端部を内側に屈曲した内フランジ２０が形成されている。内フランジ２０における左右の縦辺２０ａには、前カバー３を固定する為のネジ孔ｈが上下に形成されている。
前カバー３は、板金を後方開放の浅皿状に形成したものであり、外周側板３３の開放端部を内側に折り返した後端部３１が形成されている（図３参照）。前カバー３の後端部３１は、ケース本体２の前端外周に略密に外嵌され、前カバー３によってケース本体２の前面開口部２１を閉塞する。
【００１３】
前カバー３の前面の左右両側には、化粧カバー８を嵌め込む段部３２が形成され、これら段部３２の裏側には、後方に膨出する縦辺膨出部３２０が形成されている。前カバー３の外周側板３３の上辺部３３ａの下面には、前カバー３の左右全幅に亘るシール板７がスポット溶接等で垂設されている。前カバー３の外周側板３３の下辺部３３ｂの上面には、ポケット板６０が立設され、このポケット板６０の下部には、後方に膨出する下辺膨出部６２が形成されている。
従って、前カバー３を裏面から見た場合、上部に設けられたシール板７、下部に設けられたポケット板６０の下辺膨出部６２、左右に設けられた段部３２の裏面の縦辺膨出部３２０が全体として面一となった矩形枠状に並設され、これらによって前カバー３の後端の内周縁に内フランジ３０が形成される。この前カバーの内フランジ３０と、ケース本体２の内フランジ２０との間には、矩形枠状の防水パッキン１７が介装される（図２、図３参照）。これにより、前カバー３とケース本体２との周縁接合部において雨水等に対する防水性が確保される。
【００１４】
また、前カバー３とケース本体２との接合部には、前カバー３の外周側板３３の後端部３１によるオーバーラップ部Ｙが形成される（図３参照）。これにより、防水パッキン１７やケース本体２と前カバー３との内フランジ２０，３０が目隠しされるから、前カバー３とケース本体２との接合部での雨水の侵入を抑制でき、しかも、防水パッキン１７に日光や風雨が作用し難く防水パッキン１７の経年劣化が抑制されるため、防水性の長期安定性も確保できる。さらには、外観が損なわれずデザイン性が一層向上される。
【００１５】
排気筒１５の胴部１５０には、排気筒１５の外周フランジ１５３と前カバー３とで挟まれる環状パッキング材１８が外嵌装着される（図３参照）。これにより、前カバー３に開設された排気筒挿通口３４からの雨水の侵入が防止される。
【００１６】
以上のようにして雨水が外装ケース１０内に侵入するのを防止するが、防水パッキン１７や環状パッキング材１８のシール性能が低下したときでも、給湯器１の作動に支障を来たさないように、雨水を受け止める以下の手段が講じられている。
【００１７】
まず、前カバー３の下方に設けるポケット板６０と前カバー３との間は、下方排水受け６となっている。この下方排水受け６の一方の側方には、拡大口部６１が形成されている（図１参照）。前カバー３の外周側板３３の下辺部３３ｂには、下方排水受け６内の水を排水する排水孔３７が形成されている（図２、図３参照）。従って、外装ケース１０内に侵入し下方排水受け６で受け止められた雨水が、ポケット板６０によってケース本体２側の燃焼機器１Ａや電装装置１６等に散水するのが防止される共に、下辺部３３ｂの排水孔３７から外部に排出される。
【００１８】
また、下方排水受け６の上方には、上方開放のとい状に形成された上方排水受け５が設けられている。上方排水受け５は、排気筒１５と排気集合部１４との接合部Ｐの下方に位置される。そして、この上方排水受け５は、長手方向に傾けられて一方端部が低い排水端５０となっている（図１参照）。従って、上方排水受け５で受けられた雨水は、長手方向の一方の排水端５０から下方排水受け６の側方の拡大口部６１に滴下される。
また、上方排水受け５と前カバー３の前面板３６との間には、間隙３８が形成されており、この隙間３８を通して前面板３０の裏面に沿って垂れてきた雨水を下方排水受け６側に流下させる（図３参照）。
【００１９】
さらに、図３を参照して、前記前カバー３の内フランジ３０の上縁を構成するシール板７は、その下部が上方開放のとい状の水受け部７０となっている。この水受け部７０は、シール板７の下部を前記防水パッキン１７の上部領域及びケース本体２の内フランジ２０の上部よりも下方へ延設すると共に前記ケース本体２側に６０度の鋭角に折り曲げて「レ」字状に構成されている。そして、この水受け部７０は、長手方向に傾けられて一方端部が低い排水端７１となっている（図１参照）。従って、シール性能の低下等によって防水パッキン１７の上部領域の配設部から侵入した雨水Ｒは、この水受け部７０によって受け止められ（雨水受け止め構造）、次いで、水受け部７０の長手方向に沿って流下されて排水端７１から下方排水受け６の側方の拡大口部６１に滴下される。
【００２０】
次に、前カバー３とケース本体２との組み付けを説明する。
図４に示すように、前カバー３の左右両側に形成された段部３２には、ケース本体２の内フランジ２０のネジ孔ｈと対向して上下に透孔３５が設けられ、前記防水パッキン１７にも、ケース本体２のネジ孔ｈと対向する透孔１７０が上下に設けられている。また、前カバー３の段部３２に配設される化粧カバー８の上下には、開閉蓋８０で開閉される凹部８１の底部に透孔８２が設けられている。そして、固定ビス９を、化粧カバー８の透孔８２、前カバー３の透孔３５、防水パッキン１７の透孔１７０に挿通させ、ケース本体２のネジ孔ｈにねじ込んで締付けると、前カバー３の内フランジ３０とケース本体２の内フランジ２０との間に防水パッキン１７が挟持されて、前カバー３がケース本体２に取り付けられる。同時に、化粧カバー８が前カバー３に取り付けられる。なお、化粧カバー８の開閉蓋８０を閉じると、固定ビス９が隠蔽される。
【００２１】
以上の本実施の形態１における給湯器１では、前カバー３の内フランジ３０の上縁を構成するシール板７において前記水受け部７０を一体形成している。このシール板７は、防水パッキン１７を介装させるために不可欠な構成部品であるから、このシール板７を流用して水受け部７０を設けることにより、前述のようにケース本体２に前カバー３を組み付けることで、防水パッキン１７の上部領域の配設部から侵入した雨水Ｒを受け止める雨水受け止め構造を実現できる（図３参照）。従って、前記雨水受け止め構造の実現のために、従来の庇部材４（図６）のような別部品を要しないので、前記雨水受け止め構造の着け忘れや位置ズレ等が起きることもなく、また、その組み付けも簡易に行える。しかも、従来の庇部材４のような別部品を要しないから、コスト低減にもなる。
【００２２】
このように、本実施の形態１による給湯器１によれば、防水パッキン１７の上部領域の下方に位置するように前カバー３の内フランジ３０を構成するシール板７から延設して水受け部７０を設けることにより、ケース本体２に前カバー３を組み付けることで、別部品を追加することなく防水パッキン１７の上部領域の配設部から侵入した雨水Ｒの受け止め構造を簡易且つ確実に、しかも低コストに得ることができる。
【００２３】
また、前記水受け部７０を構成するために前記シール板７の下部を折り曲げて形成するが、この曲げによりシール板７（すなわち、前カバー３の内フランジ３０の上縁を構成する部位）の強度アップともなる。従って、前記シール板７によって防水パッキン１７の上部領域全体を略均等に押圧し、この部位でのシール性能を向上させることができる。その結果、雨水の散水を最も受け易い防水パッキン１７の上部領域でのシール性能が確実に発揮され、雨水に対する防水性を一層向上することができる。
【００２４】
（実施の形態２）
前記実施の形態１は、水受け部７０を前カバー３のシール板７から延設して一体形成するが、実施の形態２のものは、図５に示すように、ケース本体２の内フランジ２０の上縁部を防水パッキン１７の上部領域よりも下方へ延設すると共に前カバー３側に折り曲げることで、水受け部２０１（又は水受け部２０２）をケース本体２の内フランジ２０に一体的に構成する。
この場合、水受け部２０１（又は水受け部２０２）としては、前記実施の形態１と同様に鋭角に折り曲げて「レ」字状に形成して上方開放のとい状としてもよいし（図５（ａ）に示す水受け部２０１）、鈍角に折り曲げて「く」字状に形成して庇状としてもよい（図５（ｂ）に示す水受け部２０２）。
【００２５】
また、図５（ａ）に示す「レ」字状に曲げ形成する水受け部２０１は、長手方向において傾けて一方端部を排水端とするのが好ましいが、図５（ｂ）に示す「く」字状に曲げ形成する水受け部２０２は、長手方向においては傾けずに水平であってもよい。すなわち、水受け部２０１（又は水受け部２０２）は、そこで受け止める雨水Ｒがケース本体２側に滴下されないように適宜な形状とすればよい。
その他の構成及びその作用効果は、実施の形態１と同様である。
【００２６】
（その他）
１．前記水受け部７０（２０１，２０２）は、一箇所で曲げて形成するが、複数個所で曲げて形成してもよい。すなわち、水受け部７０（２０１，２０２）は、そこで受け止める雨水Ｒがケース本体２側に滴下されないように適宜な形状とすることが可能である。
２．防水パッキン１７や内フランジ２０，３０を目隠しするオーバーラップ部Ｙは、ケース本体２の前面開口部２１の周縁から延びる前端部を形成し、この前端部により前カバー３の後端外周を略密に外嵌するようにして構成してもよい。
３．ケース本体２の天板２３は、図２の二点鎖線で示すように、後ろ下がりに傾斜させるようにしてもよい。これにより、天板２３上に降った雨が後方に流動するので、防水パッキン１７の配設部に雨水が一層流れ込みにくくなる。
４．本発明に係る給湯器は、室内に設置された暖房用放熱器との間で温水を循環させる温水循環型の給湯器やその他のガス給湯器にも適用できる他、コージェネレーション式給湯器、電気温水器等、各種の給湯器にも適用できる。
【図面の簡単な説明】
【００２７】
【図１】本発明の実施の形態１による給湯器の前カバーを開けた状態を示す斜視図である。
【図２】本発明の実施の形態１による給湯器の構成を示す断面図である。
【図３】本発明の実施の形態１による給湯器の要部を示す断面図である。
【図４】化粧カバーの装着部の構成を示す斜視図である。
【図５】本発明の実施の形態２による給湯器の要部を示す断面図である。
【図６】従来例の給湯器の構成を示す断面図である。
【符号の説明】
【００２８】
１  給湯器
１Ａ  燃焼機器
２  ケース本体
３  前カバー
５  上方排水受け
６  下方排水受け
７  シール板（前カバーの内フランジ）
１６  電装装置
１７  防水パッキン
２０  ケース本体の内フランジ
２１  前面開口部
３０  前カバーの内フランジ
３２  段部
３７  排水孔
６０  ポケット板
６２  下辺膨出部（前カバーの内フランジ）
７０，２０１，２０２  水受け部
３２０  縦辺膨出部（前カバーの内フランジ）
Ｒ  雨水
【図１】
2007309613.tif 000003
【図２】
2007309613.tif 000004
【図３】
2007309613.tif 000005
【図４】
2007309613.tif 000006
【図５】
2007309613.tif 000007
【図６】
2007309613.tif 000008